(57)【要約】      （修正有）【課題】硬い筆感と、柔らかい筆感とを切り替えることができる筆記具を提供する。【解決手段】軸筒と、軸筒内に収容されて前端側の筆記部２１を軸筒の前端から突出させた筆記芯とを備えた筆記具において、筆記芯を傾動しないように支持する固定支持状態と、筆記芯を傾動するように支持する傾動可能支持状態とを切り替えるようにした。【選択図】図３
2020199648.tif 000002
【特許請求の範囲】
【請求項１】
軸筒と、前記軸筒内に収容されて前端側の筆記部を前記軸筒の前端から突出させた筆記芯とを備えた筆記具において、
前記筆記芯を傾動しないように支持する固定支持状態と、前記筆記芯を傾動するように支持する傾動可能支持状態とを切り替えるようにしたことを特徴とする筆記具。
【請求項２】
前記軸筒の内周側に、前記筆記芯が筆圧を受けて撓んだ際に、この撓んだ筆記芯における長手方向の途中箇所を径方向に受けるように縮径された接触支持部が設けられていることを特徴とする請求項１記載の筆記具。
【請求項３】
前記筆記芯の前端から前記接触支持部までの寸法を１０〜５０ｍｍの範囲内に設定したことを特徴とする請求項２記載の筆記具。
【請求項４】
前記軸筒の前端側に進退可能に内在されるとともに前記筆記芯を前端部から突出させて挿通した筒状のスライダーと、前記スライダーを前記軸筒に対し後方へ付勢する第一の付勢部材とを備え、
前記軸筒と前記スライダーのうち、その一方にカム斜面を設けるとともに他方には前記カム斜面に摺接する摺接部を設け、
前記傾動可能支持状態では、前記筆記芯から前記スライダーに伝達される径方向の力により前記カム斜面を前記摺接部に摺接させて、前記スライダー及び前記筆記芯を前記軸筒に対し前進させながら傾けるようにしたことを特徴とする請求項１〜３何れか１項記載の筆記具。
【請求項５】
前記スライダーの外周部に小径部と該小径部よりも後側に位置する大径部とを設け、このスライダーを所定の操作により前進位置と後退位置の間で進退するように構成し、前記軸筒の内周側に環状係合部を設け、
前記前進位置にて前記環状係合部が前記大径部に嵌り合うことで前記固定支持状態になり、前記後退位置にて前記環状係合部が前記小径部との間に隙間を確保することで前記傾動可能支持状態になるようにしたことを特徴とする請求項４記載の筆記具。
【請求項６】
前記軸筒は、後軸部と、前記後軸部の前側に回転可能に接続された回転軸部とを備え、前記回転軸部の回転により前記スライダーを前進させたり後退させたりするように、前記後軸部に、前記回転軸部と前記スライダーを係合していることを特徴とする請求項５記載の筆記具。
【請求項７】
前記軸筒内には、前記筆記芯の後端側が接続される被接続部材が設けられ、この被接続部材は、前後に微動するように支持されていることを特徴とする請求項１〜６何れか１項記載の筆記具。
【請求項８】
前記固定支持状態と前記傾動可能支持状態の何れの状態においても、前記筆記芯を前記スライダーの前端部から出没させる出没操作機構が設けられていることを特徴とする請求項１〜７何れか１項記載の筆記具。
【請求項９】
前記筆記芯が、前端側に前記筆記部としてのボールペンチップを有するボールペンリフィールであることを特徴とする請求項１〜８何れか１項記載の筆記具。
【発明の詳細な説明】
【技術分野】
【０００１】
本発明は、ボールペンやサインペン等、軸筒の前端から突出する筆記部を紙面等に接して筆記を行うようにした筆記具に関するものである。
【背景技術】
【０００２】
従来、この種の発明には、例えば特許文献１に記載されるように、軸筒内に、ノック操作可能なノック体と、該ノック体の前端カム斜面や軸筒内面のカム斜面等に係合することで回転する回転子と、該回転子を後方へ付勢するリターンスプリングと、該回転子内に後端部を嵌合させたリフィールとを備え、前記ノック体がノック操作されることにより、前記回転子を、軸方向へ前進させた後、回転させて係止状態にし、前記ノック体が再度ノック操作されることにより、前記係止状態を解除して前記回転子を軸方向へ後退させるようにした出没式のボールペンがある。このようなボールペンによれば、リフィール前端のボールペンチップを紙面等に押し付けて筆記が行われる。この際、リフィールの前端側は、若干の撓みを生じるものの、大きくしなることなく、略直線的維持される。このため、このような従来のボールペンでは、硬い筆感が得られる。
一方、他の発明としては、軸筒の前端側を柔軟に撓ませるようにした筆記具がある（特許文献２参照）。このような筆記具では、ペン先が紙面等に押し付けられると軸筒前端側が柔軟に変形するため、筆のような筆感を得ることができる。
【先行技術文献】
【特許文献】
【０００３】
【特許文献１】特開２００２−２４０４８５号公報
【特許文献２】特開２００５−１４５０３２号公報
【発明の概要】
【発明が解決しようとする課題】
【０００４】
ところで、使用者によっては、筆記目的や、筆記による疲労状態、その時々の気分等に応じて、その時に使用している一本の筆記具について、その筆感を適宜に切り替えたくなる場合がある。
しかしながら、前記従来技術では、一本の筆記具でもって、硬い筆感と、柔らかい筆感とを切り替えることはできなかった。
【課題を解決するための手段】
【０００５】
このような課題に鑑みて、本発明は、以下の構成を具備するものである。
軸筒と、前記軸筒内に収容されて前端側の筆記部を前記軸筒の前端から突出させた筆記芯とを備えた筆記具において、前記筆記芯を傾動しないように支持する固定支持状態と、前記筆記芯を傾動するように支持する傾動可能支持状態とを切り替えるようにしたことを特徴とする筆記具。
【発明の効果】
【０００６】
本発明は、以上説明したように構成されているので、一本の筆記具の筆感を切り替えることができる。
【図面の簡単な説明】
【０００７】
【図１】本発明に係る筆記具の一例を示す縦断面図であり、（ａ）はスライダーの前進位置において筆記芯を没入させた状態を示し、（ｂ）はスライダーの前進位置において筆記芯を突出させた状態を示し、（ｃ）はスライダーの後退位置において筆記芯を突出させた状態を示す。
【図２】同筆記具の分解斜視図である。
【図３】同筆記具について軸筒を切欠いて内部構造を示す斜視図であり、（ａ）はスライダーを前進させた固定支持状態、（ｂ）はスライダーを後退させた傾動可能支持状態である。
【図４】後軸部と、回転軸部と、スライダーの関係を示す展開図であり、（ａ）はスライダーを前進させた状態、（ｂ）はスライダーが途中位置にある状態、（ｃ）はスライダーを後退させた状態である。
【図５】スライダーを前進させた固定支持状態で筆記が行われている様子を示す要部縦断面図である。なお、ハッチングは省略している。
【図６】スライダーを後退させた傾動可能支持状態で筆記が行われている様子を示す要部縦断面図であり、（ａ）は筆記芯が傾動する前の状態を示し、（ｂ）は筆記芯が傾動した後の状態を示す。なお、ハッチングは、（ａ）の状態から前方へ移動した部分を示す。
【図７】筆記芯及び被接続部材の前後微動を説明する縦断面図である。
【発明を実施するための形態】
【０００８】
本実施の形態では、以下の特徴を開示している。
第１の特徴は、軸筒と、前記軸筒内に収容されて前端側の筆記部を前記軸筒の前端から突出させた筆記芯とを備えた筆記具において、前記筆記芯を傾動しないように支持する固定支持状態と、前記筆記芯を傾動するように支持する傾動可能支持状態とを切り替えるようにした（図３〜図６参照）。
【０００９】
第２の特徴は、前記軸筒の内周側に、前記筆記芯が筆圧を受けて撓んだ際に、この撓んだ筆記芯における長手方向の途中箇所を径方向に受けるように縮径された接触支持部が設けられている（図６参照）。
【００１０】
第３の特徴は、前記筆記芯の前端から前記接触支持部までの寸法を１０〜５０ｍｍの範囲内に設定した（図６参照）。
【００１１】
第４の特徴は、前記軸筒の前端側に進退可能に内在されるとともに前記筆記芯を前端部から突出させて挿通した筒状のスライダーと、前記スライダーを前記軸筒に対し後方へ付勢する第一の付勢部材とを備え、前記軸筒と前記スライダーのうち、その一方にカム斜面を設けるとともに他方には前記カム斜面に摺接する摺接部を設け、前記傾動可能支持状態では、前記筆記芯から前記スライダーに伝達される径方向の力により前記カム斜面を前記摺接部に摺接させて、前記スライダー及び前記筆記芯を前記軸筒に対し前進させながら傾けるようにした（図６（ａ）（ｂ）参照）。
【００１２】
第５の特徴は、前記スライダーの外周部に小径部と該小径部よりも後側に位置する大径部とを設け、このスライダーを所定の操作により前進位置と後退位置の間で進退するように構成し、前記軸筒の内周側に環状係合部を設け、前記前進位置にて前記環状係合部が前記大径部に嵌り合うことで前記固定支持状態になり、前記後退位置にて前記環状係合部が前記小径部との間に隙間を確保することで前記傾動可能支持状態になるようにした（図３、図５及び図６参照）。
【００１３】
第６の特徴として、前記軸筒は、後軸部と、前記後軸部の前側に回転可能に接続された回転軸部とを備え、前記回転軸部の回転により前記スライダーを前進させたり後退させたりするように、前記後軸部に、前記回転軸部と前記スライダーを係合している（図３及び図４参照）。
【００１４】
第７の特徴として、前記軸筒内には、前記筆記芯の後端側が接続される被接続部材が設けられ、この被接続部材は、前後に微動するように支持されている（図７参照）。
【００１５】
第８の特徴は、前記固定支持状態と前記傾動可能支持状態の何れの状態においても、前記筆記芯を前記スライダーの前端部から出没させる出没操作機構が設けられている（図１及び図２参照）。
【００１６】
第９の特徴として、前記筆記芯が、前端側に前記筆記部としてのボールペンチップを有するボールペンリフィールである（図１及び図２参照）。
【００１７】
なお、後述する実施態様では、以下の構成要件のみを必須とした発明も開示している。
すなわち、この発明は、軸筒と、前記軸筒内に収容されて前端側の筆記部を前記軸筒の前端から突出させた筆記芯とを備えた筆記具において、前記筆記芯が傾動するように支持され、前記軸筒の内周側には、前記筆記芯が筆圧を受けて撓んだ際に、この撓んだ筆記芯における長手方向の途中箇所を径方向に受けるように縮径された接触支持部が設けられている。
この発明によれば、筆記芯が筆圧を受けて傾動し撓む際に、この撓んだ筆記芯の外周部に、接触支持部を当接させて、筆記芯の撓み量を適宜に抑制することができ、ひいては、筆記者が良好な筆感を得ることができる。
【００１８】
＜具体的実施態様＞
次に、上記特徴を有する具体的な実施態様について、図面に基づいて詳細に説明する。なお、本明細書中、軸方向とは、軸筒１０の中心線の延びる方向を意味する。また、「前」とは、前記軸方向の一方側であって筆記芯の先方向を意味する。また、「後」とは、前記一方側に対する逆方向側を意味する。
【００１９】
筆記具１は、軸筒１０と、軸筒１０内に収容されて前端側の筆記部２１を軸筒１０の前端から突出させた筆記芯２０と、軸筒１０の前端側に進退可能に内在されるとともに筆記芯２０を前端部から突出させて挿通した筒状のスライダー３０と、スライダー３０を軸筒１０に対し後方へ付勢する第一の付勢部材４０と、筆記芯２０をスライダー３０の前端部から出没させる出没操作機構５０とを備える。
そして、この筆記具１は、筆記芯２０を傾動しないように支持する固定支持状態（図１（ａ）（ｂ）及び図５参照）と、筆記芯２０を傾動するように支持する傾動可能支持状態（図１（ｃ）及び図６参照）とを切り替えるように構成される。
【００２０】
軸筒１０は、筒状の後軸部１１と、後軸部１１の前側に回転可能に接続された回転軸部１２とを備え、回転軸部１２の回転によりスライダー３０を前進させたり後退させたりするように、後軸部１１に、回転軸部１２とスライダー３０を係合している。
【００２１】
後軸部１１は、前後方向へわたる長尺円筒状の後軸本体１１ａと、この後軸本体１１ａの前端側に、着脱可能に接続されて回転軸部１２を回転可能に支持する支持軸１１ｂとを具備している。
この後軸部１１の内周面には、筆記芯２０が筆圧を受けて撓んだ際に、この撓んだ筆記芯２０における長手方向の途中箇所を径方向に受けるように、縮径された接触支持部１１ｃが設けられている。
【００２２】
接触支持部１１ｃは、その前後部分よりも縮径された円筒状の内面である。筆記芯２０の前端から接触支持部１１ｃの前端までの寸法Ｌは、１０〜５０ｍｍの範囲内に設定され、本実施形態の好ましい一例では約３２ｍｍにしている。
寸法Ｌが前記範囲よりも小さい場合には、筆圧を受けて筆記芯２０の前端側がしなる際の支点が、前側に寄り過ぎてしまう。また、寸法Ｌが前記範囲よりも大きい場合には、筆圧を受けて筆記芯２０の前端側がしなる際の支点が、後側に寄り過ぎてしまう。したがって、何れの場合も良好なしなり加減を得られない。そこで、本実施形態の好ましい一例では、寸法Ｌを上記範囲内に設定した。
【００２３】
後軸本体１１ａの後端側の外周面には、クリップ１１ａ１が一体的に設けられる。図示例のクリップ１１ａ１は、後軸本体１１ａに対し別体の部材を装着しているが、一体成形された部材とすることも可能である。
そして、後軸本体１１ａの後端側の内周面には、後述する出没操作機構５０の一部を構成する縦溝１１ａ２や固定カム斜面１１ａ３等が形成される
この後軸部１１は、支持軸１１ｂに対し螺合接続されており、支持軸１１ｂから外された際に、筆記芯２０を着脱可能に露出する。
【００２４】
また、支持軸１１ｂは、長尺円筒状の部材である。この支持軸１１ｂの前半部側は、筒状の回転軸部１２に挿入され、回転軸部１２を回転自在且つ進退不能に支持している。この支持構造は、例えば、支持軸１１ｂ外周面と回転軸部１２内周面とのうち、その一方に設けられる環状凸部と、他方に設けられる環状溝とを嵌め合わせた構造とすればよい。
この支持軸１１ｂの前端縁には、スライダー３０に係合してスライダー３０を進退させるカム部１１ｂ１が設けられる。
【００２５】
カム部１１ｂ１は、支持軸１１ｂの前端縁に、その周方向にわたって凹部及び傾斜面等を設けて構成される。
詳細に説明すれば、このカム部１１ｂ１は、図４の展開図に示すように、前側凹部１１ｂ１１、後側凹部１１ｂ１２、及び傾斜面部１１ｂ１３等を有する。
前側凹部１１ｂ１１と後側凹部１１ｂ１２は、前方を開口した半円状の凹部である。前側凹部１１ｂ１１に対し、後側凹部１１ｂ１２は周方向に離れ且つ後方側に位置する。
傾斜面部１１ｂ１３は、前側凹部１１ｂ１１の縁と後側凹部１１ｂ１２の縁とを結ぶようにして、後軸部１１の周方向へ延設されるとともに傾斜している。
【００２６】
また、回転軸部１２は、後端側が後軸部１１に対し回転自在に接続された回転軸本体１２ａと、この回転軸本体１２ａの前端側に一体的に接続された先端カバー１２ｂとから形成される（図１及び図２参照）。
【００２７】
回転軸本体１２ａは、長尺円筒状に形成される。この回転軸本体１２ａの内周面には、その前端側に位置する環状係合部１２ａ１と、環状係合部１２ａ１よりも後側で第一の付勢部材４０の前端部を受ける環状の段部１２ａ２と、段部１２ａ２よりも後側でスライダー３０を前後方向へ案内するガイド溝１２ａ３とが設けられる。
【００２８】
環状係合部１２ａ１は、その後側の回転軸本体１２ａ内周面よりも、全周にわたって径方向内側へ突出する環状の凸部であり、スライダー３０の大径部３１ｃに接触又は近接して嵌り合うように形成される。
また、この環状係合部１２ａ１の環状の前端縁は、スライダー３０のカム斜面３１ａに摺接するための摺接部１２ａ１１（図６（ａ）参照）として機能する。
【００２９】
ガイド溝１２ａ３は、前後方向へ連続する直線状の凹溝であり、周方向に等間隔を置いて複数（図示例によれば二つ）設けられる。
【００３０】
また、先端カバー１２ｂは、回転軸本体１２ａの前端側の外周に装着されて前方へ突出し、スライダー３０の前端部を突出させて該前端部よりも後側の部分を覆う。
【００３１】
筆記芯２０は、インク収容管２２の前端側に筆記部２１としてのボールペンチップを接続した周知構造のボールペンリフィールである。
インク収容管２２は、弾性的に撓むことが可能な合成樹脂材料（例えばポリプロピレン等）により形成される。
【００３２】
また、スライダー３０は、スライダー本体部３１と、スライダー本体部３１の後側に接続された受け部３２との二部材から一体的に構成され、所定の操作により前進位置（図１（ａ）（ｂ）及び図５参照）と後退位置（図１（ｃ）及び図６参照）の間で進退するように構成される。
なお、スライダー本体部３１と受け部３２は、一体に形成された単一の部材とすることも可能である。
【００３３】
スライダー本体部３１の外周面には、後方へ向かって徐々に縮径するカム斜面３１ａと、カム斜面３１ａの後端部に接続されて後方へ延設された小径部３１ｂと、この小径部３１ｂの後側に接続された大径部３１ｃとが設けられる。
また、スライダー本体部３１の前端側の内周面には、突出した際の筆記部２１の外周面に接して、筆記部２１をスライダー本体部３１に相対し径方向へ移動しないように支持する円筒状の接触支持面３１ｄが設けられる。
【００３４】
カム斜面３１ａは、スライダー３０に径方向の力成分が加わった際に、軸筒１０側の摺接部１２ａ１１に摺接して、スライダー３０を傾けながら前方へ動かす運動方向変換手段として機能する。
【００３５】
小径部３１ｂは、スライダー３０が後退位置にある際に、軸筒１０側の環状係合部１２ａ１との間に、スライダー３０を傾動可能に支持（傾動可能支持状態）にするための隙間ｓを確保する（図６（ａ）（ｂ）参照）。
【００３６】
大径部３１ｃは、スライダー３０が前進位置にある際に、軸筒１０側の環状係合部１２ａ１に嵌り合って、スライダー３０を傾動しないように支持（固定支持状態）にする（図５参照）。
【００３７】
また、受け部３２は、前端側と後端側に小径部分を有する略円筒状に形成され、第一の付勢部材４０の後端部を受けて後方へ付勢される。この受け部３２は、後端側の小径部分を、支持軸１１ｂの前端側に対し、遊びを有する状態で嵌め合わせている。前記小径部分の前側には、被ガイド凸部３２ａが設けられる。
【００３８】
被ガイド凸部３２ａは、受け部３２の前後方向中央側の最大径部分の外周面から径方向外側へ突出するとともに後方へ延設された突条である。この被ガイド凸部３２ａの最後端部は、後軸部１１の前側凹部１１ｂ１１及び後側凹部１１ｂ１２に嵌り合う断面半円状に形成される（図４参照）。
この被ガイド凸部３２ａは、軸筒１０側の複数のガイド溝１２ａ３にそれぞれ対応するように、周方向に間隔を置いて複数（図示例によれば等間隔に二つ）設けられる。
【００３９】
また、第一の付勢部材４０は、図示例によれば圧縮コイルスプリングであり、受け部３２前端側の小径部分に環状に装着され、回転軸部１２に対しスライダー３０を後方へ付勢している。
【００４０】
この第一の付勢部材４０のバネ荷重は、バネのたわみ量（≒スライダー３０の動き量）を、カム斜面３１ａの長さ及び角度等によって約０．３ｍｍに制限した状態で、４０〜５０ｇｆの範囲内になるようにしてある。
前記バネ荷重が前記範囲よりも小さい場合、意図しない小さな筆圧で筆記芯２０の前端側がしなってしまう。また、前記バネ荷重が前記範囲よりも大きい場合には、筆記芯２０の前端側をしならせるための筆圧が、顕著に大きくなってしまう。このため、本実施形態の好ましい一例では、第一の付勢部材４０のバネ荷重を上記のように設定した。
【００４１】
また、出没操作機構５０は、筆記芯２０の後端側が接続される被接続部材５１と、この被接続部材５１を軸筒１０に相対し後方へ付勢する第二の付勢部材５２と、被接続部材５１をその後方側から前後微動可能に支持するとともに所定の操作により進退し回転する支持回転子５３と、被接続部材５１と支持回転子５３の間を弾発する第三の付勢部材５５と、外力により前進して支持回転子５３を押動するノック部５４とを具備する。
この出没操作機構５０は、上記した固定支持状態（図１（ａ）（ｂ）及び図５参照）と傾動可能支持状態（図１（ｃ）及び図６参照）との何れの状態においても、筆記芯２０をスライダー３０の前端部から出没させるように機能する。
【００４２】
被接続部材５１は、筆記芯２０（詳細にはインク収容管２２の後端部）に対し後方側から圧入される小径筒状の嵌入支持部５１ａと、この嵌入支持部５１ａの後端側で径方向外側へ環状に突出する鍔部５１ｂと、この鍔部５１ｂから後方へ略円筒状に延設された筒部５１ｃと、この筒部５１ｃの後端側で支持回転子５３に対し凹凸状に遊嵌する遊嵌部５１ｄとを有する（図７参照）。
【００４３】
遊嵌部５１ｄは、詳細に説明すれば、筒部５１ｃの後端側の外周面に設けられた環状凹部５１ｄ１と、この環状凹部５１ｄ１の後側で径方向外側へ突出する環状凸部５１ｄ２によって構成され、後述する支持回転子５３の前端側に挿入され遊びを有する状態で嵌り合っている（図７参照）。
【００４４】
また、第三の付勢部材５５は、被接続部材５１の筒部５１ｃに環状に装着された圧縮コイルスプリングである。この第三の付勢部材５５は、その前端部を被接続部材５１の鍔部５１ｂに当接するとともに、後端部を支持回転子５３の前端に当接して圧縮変形している。
この第三の付勢部材５５は、後方への力成分により筆記芯２０及び被接続部材５１が後退した場合に、この後退に抵抗を与え、後方への力成分が除去された場合には、筆記芯２０及び被接続部材５１を弾発して元の位置まで前進させる。
【００４５】
支持回転子５３は、前後方向へわたる略円筒状の部材であり、その前端側の周壁内面に、被接続部材５１の遊嵌部５１ｄを接続する被遊嵌部５３ａを有する（図７参照）。この被遊嵌部５３ａは、周方向に置いて複数（図示例によれば等間隔に二つ）設けられる。
各被遊嵌部５３ａは、遊嵌部５１ｄ前側の環状凹部５１ｄ１に対し遊びを有する状態で嵌り合う凸部５３ａ１と、遊嵌部５１ｄ後側の環状凸部５１ｄ２に対し遊びを有する状態で嵌り合う凹部５３ａ２（図示例によれば貫通孔）とから構成される。
【００４６】
また、支持回転子５３の被遊嵌部５３ａよりも後側には、後端に傾斜面部５３ｂ1を有する突条５３ｂが周方向に間隔を置いて複数設けられる。支持回転子５３の後端側は、ノック部５４に挿入されている。
ノック部５４は、後端部を閉鎖した有底筒状の部材であり、その前端部に進退可能且つ回転不能にカム斜面５４ａを備え、外周部に後軸部１１内周面の縦溝１１ａ２に嵌り合って進退可能な突条５４ｂを有する。
これらの構成により、支持回転子５３を前進させ回転させて係止したり、その係止状態を解除して支持回転子５３を後退させたりする機構は、例えば、特開２００４−２０９８８１号公報に記載された発明を適用することが可能である。
【００４７】
次に、上記構成の筆記具１について、その特徴的な作用効果を詳細に説明する。
図１（ａ）は、スライダー３０が前進位置にある状態で、筆記部２１を軸筒１０内に没入した状態を示す。なお、図示を省略するが、スライダー３０が後退位置にある状態においても、筆記部２１を軸筒１０内に没入した状態とすることが可能である。
【００４８】
前記没入状態において、ノック部５４が前方へ押されると、支持回転子５３、固定カム斜面１１ａ３及びカム斜面５４ａ等の作用により、筆記部２１が軸筒１０の前端から突出した状態で係止される（図１（ｂ）参照）。
【００４９】
このように、スライダー３０が前進位置にあり、筆記部２１が突出した状態では、図５に拡大視するように、スライダー３０の大径部３１ｃが、軸筒１０側の環状係合部１２ａ１に嵌り合う。この状態で、筆記芯２０は、筆記部２１をスライダー本体部３１の接触支持面３１ｄに接しているので、傾動することのない固定支持状態に保持される。
この固定支持状態によれば、筆記具１を把持して筆記を行う筆記者は、通常の筆記具と同様の硬い筆感を得ることができる。
【００５０】
また、筆記具１は、前記固定支持状態において、図３（ａ）（ｂ）及び図４（ａ）〜（ｃ）に示すように、回転軸部１２が回転操作されると、筆記芯２０を傾動可能に支持する傾動可能支持状態になる。
詳細に説明すれば、前記固定支持状態では、図４（ａ）に示すように、スライダー３０の被ガイド凸部３２ａが、後軸部１１におけるカム部１１ｂ１の前側凹部１１ｂ１１に嵌り合っている。
この状態で、回転軸部１２を後軸部１１に相対し所定方向へ回転させれば、被ガイド凸部３２ａが前側凹部１１ｂ１１から抜け出て、傾斜面部１１ｂ１３を周方向斜め後方へ滑り動く（図４（ｂ）参照）。
回転軸部１２を更に前記所定方向へ回転させれば、図４（ｃ）に示すように、被ガイド凸部３２ａが、後側凹部１１ｂ１２に嵌り合い、傾動可能支持状態に保持される。
【００５１】
この傾動可能支持状態では、図６（ａ）（ｂ）に示すように、回転軸本体１２ａの環状係合部１２ａ１とスライダー本体部３１の小径部３１ｂとの間に、スライダー３０の径方向への微動を可能にする隙間ｓが確保される。
【００５２】
このため、この傾動可能支持状態では、筆記部２１が被筆記面Ａに押し付けられて、筆記部２１に径方向の力が加わると、この径方向の力が接触支持面３１ｄを介してスライダー本体部３１に伝達し、スライダー３０が、カム斜面３１ａを摺接部１２ａ１１に摺接させて、軸筒１０に相対し前進させながら傾動する（図６（ｂ）参照）。
【００５３】
前記のようにして筆記芯２０が前端側を傾動させてしなる際、筆記芯２０の外周部が接触支持部１１ｃに当接して、そのしなり加減が適宜に規制される。
このため、筆記具１を把持して筆記を行う筆記者は、ペン先がしなやかに傾く筆のような独特の筆感を得ることができる。
【００５４】
また、筆記芯２０に比較的強い後方への力が加わった場合には、筆記芯２０及び被接続部材５１が、第三の付勢部材５５の弾発力に抗して、若干後退する。
このため、例えば、筆記中に筆圧が急に強くなってしまった場合や、筆記者の筆圧がもともと強めである場合等に、その筆記に伴い筆記芯２０に加わる微小な衝撃を、第三の付勢部材５５の付勢力により吸収し、良好な筆感を筆記者に与えることができる。
【００５５】
上記傾動可能支持状態を上記固定支持状態に戻すには、回転軸部１２を逆方向へ回転操作して、スライダー３０を前進させて、スライダー本体部３１の大径部３１ｃを環状係合部１２ａ１に嵌め合わせればよい（図５参照）。
【００５６】
また、突出状態の筆記部２１を軸筒１０内に没入するには、ノック部５４を、再度、ノック操作すればよい。
【００５７】
なお、上記実施態様では、特に好ましい態様として、筆記芯２０を傾動させるためのカム斜面３１ａをスライダー３０側に設け、カム斜面３１ａに摺接する摺接部１２ａ１１を軸筒１０側に設けたが、他例としては、カム斜面を軸筒側に設け、このカム斜面に摺接する摺接部をスライダー側に設けることも可能である。
【００５８】
また、上記実施態様では、特に好ましい態様として、被接続部材５１を支持回転子５３に対し前後微動するように接続したが、他例としては、被接続部材５１を省いて筆記芯２０を直接、支持回転子５３に接続した態様とすることも可能である。
【００５９】
また、上記実施態様は、本発明の好ましい一例としてボールペンを構成したが、本発明は、サインペンや、フェルトペン、マーカーペン、筆ペン等、ボールペン以外の筆記具を構成することも可能である。
【００６０】
また、本発明は上述した実施態様に限定されず、本発明の要旨を変更しない範囲で適宜変更可能である。
【符号の説明】
【００６１】
１０：軸筒
１１：後軸部
１１ａ：後軸本体
１１ｂ：支持軸
１１ｃ：接触支持部
１２：回転軸部
１２ａ：回転軸本体
１２ａ１：環状係合部
１２ｂ：先端カバー
２０：筆記芯
２１：筆記部
３０：スライダー
３１：スライダー本体部
３１ａ：カム斜面
３１ｂ：小径部
３１ｃ：大径部
３２：受け部
４０：第一の付勢部材
５０：出没操作機構
５１：被接続部材
５２：第二の付勢部材
５３：支持回転子
５４：ノック部
５５：第三の付勢部材
【図１】
2020199648.tif 000003
【図２】
2020199648.tif 000004
【図３】
2020199648.tif 000005
【図４】
2020199648.tif 000006
【図５】
2020199648.tif 000007
【図６】
2020199648.tif 000008
【図７】
2020199648.tif 000009